(57)【要約】【課題】発光素子間の同一印字情報に対する輝度のばらつきを抑制すること。【解決手段】複数の有機ＥＬ素子を発光素子１１としてライン状に配列した発光素子部１８と、前記発光素子に接続される回路素子を備え、選択信号と駆動信号と保持信号とに基づいて所定数の発光素子毎に時分割で選択発光させる、前記発光素子それぞれに対して設けられた点灯回路１９と、を有する発光装置であって、前記所定数の発光素子に接続される所定数の点灯回路を、前記所定数の発光素子の配列方向に対し垂直方向に隣接配置し、前記点灯回路と前記発光素子とを接続する配線に配線長調整部２１を接続形成し、前記点灯回路と前記発光素子とを接続するアノード配線２０と配線長調整部との総配線長を全ての点灯回路において等長にすると共に、前記アノード配線及び配線長調整部と他配線との交差部面積及び数を全ての点灯回路において同じにする。【選択図】図４
2009220438.tif 000002
【特許請求の範囲】
【請求項１】
複数の発光素子をライン状に配列した発光素子部と、
前記発光素子に接続される回路素子を備え、前記発光素子それぞれに対して設けられ、且つ前記発光素子の配列方向に対し垂直方向に隣接して配置された複数の点灯回路と、
前記点灯回路と前記点灯回路に対応する前記発光素子とを接続し、前記点灯回路と前記点灯回路に対応する前記発光素子と距離にしたがって長さの異なる複数の配線と、
前記配線のそれぞれに接続し、前記配線の長さが短いほど長くなる複数の配線調整部と、
を備えることを特徴とする発光装置。
【請求項２】
前記点灯回路は、前記回路素子としてコンデンサを含み、
前記発光素子の配列方向に隣接配置されるコンデンサの配置ピッチは、前記発光素子の配置ピッチよりも大きいピッチ寸法を持つことを特徴とする請求項１に記載の発光装置。
【請求項３】
複数の発光素子をライン状に配列した発光素子部と、
前記発光素子に接続されるトランジスタ及びコンデンサを備え、所定数の発光素子の配列方向に対し垂直方向に隣接配置され、前記発光素子それぞれに対して設けられた点灯回路と、
を有することを特徴とする発光装置。
【請求項４】
前記コンデンサの配置ピッチは、前記発光素子の配置ピッチよりも大きいピッチ寸法を持つことを特徴とする請求項３に記載の発光装置。
【請求項５】
請求項１〜４のいずれかに記載の発光装置を具備することを特徴とする印刷装置。
【発明の詳細な説明】
【技術分野】
【０００１】
本発明は、発光素子特に有機ＥＬ素子を光源として利用した発光装置及び印刷装置に関する。
【背景技術】
【０００２】
従来より、発光素子を光源として利用した発光装置が知られており、例えば、電子写真方式の印刷装置において感光ドラムに画像データに応じた光を照射して露光を行う露光装置等に用いられている。近年、発光素子として、発光点を精度良く作り込める有機ＥＬ素子が注目されており、この露光装置の光源としてそのような有機ＥＬ素子を利用する試みが各種なされてきている。
【０００３】
有機ＥＬ素子を各画素に用いた画像表示装置では、例えば、特許文献１には、有機ＥＬ素子を備えた露光装置において、選択的に時分割駆動される複数の自己発光素子をライン状に形成したチップ上に発光駆動用の共通電極を複数設けた構成を開示している。
【特許文献１】特開平１１−２４５４４０号公報
【発明の開示】
【発明が解決しようとする課題】
【０００４】
一般に、印刷装置の露光装置においては、時分割駆動によって、複数の画素に信号を供給している。有機ＥＬ素子を発光素子として印刷装置の露光装置を構成した場合、前記特許文献１に開示されたような駆動回路を点灯回路として利用することができる。しかしながら、高画質化の要求に従って画素が非常に近接して即ち狭ピッチで配置されることとなり、金属薄膜配線による点灯回路の実装配線を全ての画素について同じ形状で配線することは困難となっている。そのため、点灯回路の持つ寄生容量や配線長が画素によって異なってしまい、同一の印字情報に対して画素間即ち発光素子間で発光輝度にばらつきが生じることとなる。
【０００５】
本発明は、前記の点に鑑みてなされたもので、発光素子間の同一印字情報に対する輝度のばらつきを抑制することができる発光装置及び印刷装置を提供することを目的とする。
【課題を解決するための手段】
【０００６】
前記の目的を達成するために、請求項１に記載の発明による発光装置は、
複数の発光素子をライン状に配列した発光素子部と、
前記発光素子に接続される回路素子を備え、前記発光素子それぞれに対して設けられ、且つ前記発光素子の配列方向に対し垂直方向に隣接して配置された複数の点灯回路と、
前記点灯回路と前記点灯回路に対応する前記発光素子とを接続し、前記点灯回路と前記点灯回路に対応する前記発光素子と距離にしたがって長さの異なる複数の配線と、
前記配線のそれぞれに接続し、前記配線の長さが短いほど長くなる複数の配線調整部と、
を備えることを特徴とする。  
請求項２に記載の発明による発光装置は、請求項１に記載の発明による発光装置において、
前記点灯回路は、前記回路素子としてコンデンサを含み、
前記発光素子の配列方向に隣接配置されるコンデンサの配置ピッチは、前記発光素子の配置ピッチよりも大きいピッチ寸法を持つことを特徴とする。  
請求項３に記載の発明による発光装置は、
複数の発光素子をライン状に配列した発光素子部と、
前記発光素子に接続されるトランジスタ及びコンデンサを備え、所定数の発光素子の配列方向に対し垂直方向に隣接配置され、前記発光素子それぞれに対して設けられた点灯回路と、
を有することを特徴とする。  
請求項４に記載の発明では、請求項３に記載の発光装置において、前記コンデンサの配置ピッチは、前記発光素子の配置ピッチよりも大きいピッチ寸法を持つことを特徴とする。  
また、前記の目的を達成するために、請求項５に記載の印刷装置は、請求項１〜４のいずれかに記載の発光装置を具備することを特徴とする。
【発明の効果】
【０００７】
本発明によれば、有機ＥＬ素子による発光素子間の同一印字情報に対する輝度のばらつきを抑制することができる発光装置及び印刷装置を提供することができる。
【発明を実施するための最良の形態】
【０００８】
以下、本発明を実施するための最良の形態を、図面を参照して説明する。
【０００９】
図１は、本一実施形態に係る発光装置を用いた印刷装置の構成の一例を示す図である。
【００１０】
同図に示すように、本一実施形態に係る発光装置を用いた印刷装置は、感光体ドラム１と、発光装置２と、帯電ローラ３と、イレーサ光源感光体４と、クリーニング部材５と、現像ローラ６ａを含む現像器６と、転写ローラ７と、定着ローラ８と、搬送ベルト９とを具備している。
【００１１】
前記感光体ドラム１は、例えば負帯電型ＯＰＣ（Organic Photo Conductor）感光体（有機感光体）である。このことに鑑みて、前記帯電ローラ３は負帯電器とされている。また、前記現像器６は、負帯電トナーで現像を行う現像器である。また、前記発光装置２には、詳しくは後述するが、複数の有機ＥＬ素子（発光素子）がマトリクス状に配列されて構成されている。
【００１２】
ところで、図１に示す印刷装置では、おおまかには以下のような工程により印刷が行われる。まず、前記帯電ローラ３が、回転する感光体ドラム１の表面に接触することによって、感光体ドラム１の接触した表面が一様に負電位となるように帯電される。続いて、前記発光装置２の発光素子から発した光が、前記感光体ドラム１の所定位置に対して入射され、前記感光体ドラム１上には静電潜像が形成される。その後、前記現像器６によって、前記静電潜像にトナーが付着される。そして、前記転写ローラ７によって、前記静電潜像に付着しているトナーが印刷用紙１０に転写される。以下、このような印刷工程を詳細に説明する。
【００１３】
まず、前記感光体ドラム１は、帯電用電源（不図示）から供給される負電位であって且つ後述する現像器６で出力される現像電圧に比較的近似している或いは等しい電位の初期化帯電電圧を、前記帯電ローラ３によって印加される。これにより、前記感光体ドラム１における周表面は一様に負帯電され、電位的に初期化される（初期化帯電状態となる）。
【００１４】
そして、周表面が初期化帯電状態となった前記感光体ドラム１には、前記発光装置２によって、印字情報に従った光書き込み（露光）が行われる。これにより、露光が行われないために初期化帯電状態のままの前記初期化帯電部と、前記露光によって初期化帯電部より相対的に高い負電位である−５０Ｖ程度の露光帯電電圧が印加されて帯電された露光帯電部とから成る静電潜像が、前記感光体ドラム１の周表面上に形成される。
【００１５】
ここで、前記現像器６内に収容されている弱いマイナス電位に帯電したトナーが、前記現像ローラ６ａによって、前記現像ローラ６ａと前記感光体ドラム１との対向部に回転搬送される。このとき、前記現像ローラ６ａは、不図示の電源から、露光帯電部よりもさらに低い−２５０Ｖ程度の現像電圧を印加される。したがって、前記感光体ドラム１における前記静電潜像の−５０Ｖ程度の露光帯電部では、現像電圧よりも２００Ｖ程度高電位となり、初期化帯電部では、現像電圧との差が２００Ｖよりも絶対値が十分小さい電圧になる。
【００１６】
これらの静電潜像における現像電圧との電位差の違いにより、前記現像ローラ６ａに対して相対的にプラス極性の電位となった前記静電潜像における露光帯電部には、マイナス極性に帯電しているトナーが付着してトナー像が形成されるのに対し、初期化帯電部には、トナーを静電的に吸引する程の電界が生じないのでトナーが付着しない。このトナー像は、前記感光体ドラム１の回転によって、前記感光体ドラム１と前記転写ローラ７とが対向している転写部へと搬送される。
【００１７】
なお、上述したようにして形成されたトナー像におけるトナー付着量（現像された画像の濃度）は、前記発光装置２による前記感光体ドラム１への露光量の変調に応じて生じる前記感光体ドラム１の周表面上における電位の変調によって決定される。
【００１８】
次いで、上述したように前記トナー像が前記転写部へ搬送されると、前記搬送ベルト９によって、前記印刷用紙１０が前記転写部へ搬送される。そして、前記転写部においては、前記トナー像が前記印刷用紙１０上に、前記転写ローラ７によって転写される。このようにして前記トナー像を転写された前記印刷用紙１０は更に下流に搬送され、前記トナー像が前記定着ローラ８によって熱定着された後、前記印刷用紙１０は当該印刷装置の外部へ排出される。
【００１９】
また、トナー像が印刷用紙１０上に転写された後、前記感光体ドラム１は、クリーニング部材５により残留トナーが除去され、更に、イレーサ光源感光体４によって一様に０Ｖに除電されて、帯電ローラ３への帯電に備えられる。
【００２０】
なお、前記発光装置２は、記録走査の主走査方向（前記感光体ドラム１の幅方向、つまり前記印刷用紙１０の幅方向）に、一列或いは複数列に配設された多数の発光素子からなる発光素子アレイを備えている。各発光素子は、例えば有機ＥＬ素子からなる。この発光素子アレイは、当該印刷装置が、例えばＡ４サイズの印刷用紙１０を縦方向に用いてその幅一杯に印字密度１２００ｄｐｉ（ドット／インチ）で印字可能な印刷装置の場合であれば、およそ１４０００個の発光素子を備えている。これらの個々の発光素子には、ホスト機器（不図示）から出力される印字情報に従ったパルス電圧が印加される。即ち、個々の発光素子は、選択的に発光制御される。
【００２１】
有機ＥＬ素子を用いた発光装置は、近年盛んに研究されている。電子写真プロセスの光源に、ＬＥＤに代わり有機ＥＬ素子を採用することで、各ＬＥＤに接続していたワイヤーボンディングの本数を削減することができて、コストを削減することができる。
【００２２】
図２は、このような有機ＥＬ素子を用いた発光装置における一般的な点灯回路の構成を示す等価回路図であり、図３はその点灯回路における各信号のタイミングチャートを示す図である。なお、図２においては、実際の回路レイアウトに合わせて各回路素子を配置して示している。また、ここでは、図面及び説明の簡略化のため、１本の駆動信号線で４個の画素を駆動するものとしている。
【００２３】
各画素は、図２に示すように、有機ＥＬ素子である発光素子１１と、該発光素子１１を駆動するための駆動電圧に応じた駆動電流を発光素子に供給するための点灯回路とからなる。これらは、図示しないガラス基板上に形成される。点灯回路は、例えば共にｎチャネルアモルファスシリコン薄膜トランジスタ（以下、ＴＦＴと略記する。）のスイッチング素子である選択ＴＦＴ１２及び駆動ＴＦＴ１３と、保持コンデンサ１４とからなる。
【００２４】
発光素子１１は、特に図示はしないが、アノード電極とカソード電極の間に、例えば正孔輸送層、発光層、及び電子輸送層でなる有機ＥＬ層（発光機能層）が設けられたものである。そして、アノード電極とカソード電極との間に、所定の電圧が掛けられることで、アノード電極から正孔が、カソード電極から電子が、それぞれ有機ＥＬ層に注入され、そこで正孔と電子とが再結合して発光する。この発光によって生じた光は、アノード電極又はカソード電極の一方を透明とすることで構成した光出射開口から放射される。このような透明電極は、少なくとも一部を錫ドープ酸化インジウム（Indium Thin Oxide；ＩＴＯ）等の透明な金属で形成されることが好ましい。
【００２５】
また、選択ＴＦＴ１２のドレイン電極は駆動信号線１５に接続され、選択ＴＦＴ１２のゲート電極は、選択信号線１６に接続されている。一方、駆動ＴＦＴ１３のドレイン電極は保持信号線１７に接続され、選択ＴＦＴ１２のソース電極と駆動ＴＦＴ１３のゲート電極とが接続されている。また、駆動ＴＦＴ１３のソース電極は前記発光素子１１のアノード電極に接続されている。なお、前記発光素子１１のカソード電極は接地電位等の共通電位が印加されている。また、保持コンデンサ１４は、駆動ＴＦＴ１３のゲート電極−ソース電極間に設けられている。
【００２６】
前記回路素子間の接続及び前記駆動信号線１５、前記選択信号線１６、前記保持信号線１７は、図示しないガラス基板上の金属薄膜配線で形成されている。
【００２７】
そして、このような構成の画素が、発光素子１１が所定のピッチＰで隣接配置されるように、例えば記録走査の主走査方向に一列に配列されている。
【００２８】
このような構成の発光装置２に対して、図３に示すように、複数の選択信号線１６には順次ハイレベル（オンレベル）となる選択信号Ｖｓｅｌ１〜Ｖｓｅｌ４が、また複数の保持信号線１７には順次ハイレベルとなる保持信号Ｖｓｏｕｒｃｅ１〜Ｖｓｏｕｒｃｅ４が印加されていく。ここで、選択信号Ｖｓｅｌ１〜Ｖｓｅｌ４はそれぞれのハイレベルとなる期間が重ならず、保持信号Ｖｓｏｕｒｃｅ１〜Ｖｓｏｕｒｃｅ４はハイレベル期間が重なるように、順次ハイレベルとされていく。即ち、各選択信号線１６に印加される選択信号Ｖｓｅｌ１〜Ｖｓｅｌ４がハイレベルとされる画素の選択期間に、保持信号Ｖｓｏｕｒｃｅ１〜Ｖｓｏｕｒｃｅ４もハイレベルとなって、ホスト機器（不図示）から出力される印字情報に従って、図示しないデータドライバから複数の駆動信号線１５に階調信号に基づく電圧値を有する駆動電圧Ｖｄａｔａ（ｎ−１），Ｖｄａｔａ（ｎ），Ｖｄａｔａ（ｎ＋１）が各駆動信号線１５に印加される。
【００２９】
これらの駆動電圧Ｖｄａｔａ（ｎ−１），Ｖｄａｔａ（ｎ），Ｖｄａｔａ（ｎ＋１）は、選択信号Ｖｓｅｌ１〜Ｖｓｅｌ４のハイレベルによりオンとなった選択ＴＦＴ１２を介して駆動ＴＦＴ１３のゲートに印加されて、保持コンデンサ１４に、当該駆動ＴＦＴ１３の電流路に流れる電流に対応した電荷が蓄積書込みされる。そして、選択信号Ｖｓｅｌ１〜Ｖｓｅｌ４がローレベル（オフレベル）とされても、保持信号線１７に印加される保持信号Ｖｓｏｕｒｃｅ１〜Ｖｓｏｕｒｃｅ４がハイレベルを保持している保持期間の間は、前記保持コンデンサ１４に蓄積された電荷に応じた電流が駆動ＴＦＴ１３から発光素子１１に供給され、この電流の電流値に応じた輝度で発光素子１１が点灯する。
【００３０】
即ち、前述したように、周表面が初期化帯電状態となった前記感光体ドラム１に、前記発光装置２によって、印字情報に従った光書き込み（露光）を行う露光工程においては、各発光素子１１に関して、階調信号に応じた階調信号電圧が対応する駆動信号線１５に印加されると同時に対応する選択信号線１６にハイレベルの選択信号が印加される。これにより、対応する選択ＴＦＴ１２がオン動作して、駆動ＴＦＴ１３のゲート電極に駆動信号線１５に印加された階調信号電圧に基づく駆動電圧が印加されて、その駆動ＴＦＴ１３が当該駆動電圧に応じた導通状態でオン動作する。これにより、保持信号線１７に印加される保持信号Ｖｓｏｕｒｃｅ１〜Ｖｓｏｕｒｃｅ４がハイレベルを保持している保持期間の間、駆動ＴＦＴ１３及び発光素子１１に、駆動信号線１５に印加された階調信号電圧に基づく電流値を有する発光駆動電流が流れ、発光素子１１が所定の発光輝度で発光動作する。このとき、階調信号電圧は、選択ＴＦＴ１２を介して、保持コンデンサ１４に供給され、該保持コンデンサ１４は、その階調信号電圧のレベルに応じた値の電荷量に充電される。従って、その後、他の発光素子１１を選択するために当該選択信号線１６の選択信号がローレベルとされて、選択ＴＦＴ１２がオフしても、前記保持コンデンサ１４には階調信号電圧に応じた電荷量が保持されているので、駆動ＴＦＴ１３は、その保持コンデンサ１４に保持されている電荷量に応じた導通状態となり、発光動作を継続することができる。
【００３１】
なお、図３に示す水平制御信号ＨＳＹＮＣは、印刷装置の主走査方向の同期信号であり、アクティブ（立下がり）となってから次のアクティブとなるまでの期間が、発光素子１１の１ラインに許されるドット形成処理時間（１ライン時間）である。例えば、印字上の１ドット＝１２００ｄｐｉ×１２００ｄｐｉ、Ａ４横サイズ搬送、印刷速度４０枚/分、用紙間距離５０ｍｍでの発光装置２を用いるとすると、１ｉｎｃｈは２５．４ｍｍなので、１ライン時間は、（２５．４ｍｍ／１２００ｄｐｉ）／（（２１０ｍｍ×４０枚＋５０ｍｍ×４０枚）／６０ｓｅｃ）≒１２２μｓｅｃとなる。図示しないデータドライバは、この水平制御信号ＨＳＹＮＣがアクティブ〜アクティブである期間（１ライン時間）に、感光体ドラム１を露光して潜像を形成するのに必要な光エネルギーが得られるように、各画素を駆動して所定の時間発光させる。
【００３２】
選択書込み時間を１ライン時間に対して十分短期間とすることで、発光素子アレイの複数の発光素子１１を所定数の発光素子毎に時分割で発光させるようにすることができる。これにより、駆動信号線１５の本数を減らすことができ、データドライバの１本の出力で複数の画素のアノード電極と接続し、画素群の各画素を順次選択状態及び点灯状態として時分割駆動することができる。例えば、前記の例では、記録走査の主走査方向と直交する方向に配列された４個の画素を１単位で実施したときに、１２００ｄｐｉ、４０枚/分であれば、各選択信号はオンレベルである選択期間が１２２μｓｅｃ／４＝３０．５μｓｅｃであって且つ３０．５μｓｅｃずつシフトした信号となり、各保持信号は選択信号がローレベルとされた期間でハイレベルとされ、この場合、１２２−３０．５＝９１．５μｓｅｃまでの発光が行える。
【００３３】
ところで、１２００ｄｐｉの場合、隣接画素間のピッチＰは、２５．４ｍｍ／ｉｎｃｈ／１２００ｄｏｔ／ｉｎｃｈ＝２１．２μｍ／ｄｏｔという微細ピッチにならざる得ない。図２に模式的に示すような回路レイアウト上では、このピッチ寸法の間に各点灯回路を構成する前述のＴＦＴ１２，１３と保持コンデンサ１４及び配線パターンを実装しなければならない。この場合、特に、保持コンデンサ１４は近接して配置されることとなるので、保持コンデンサ１４間の寄生容量が問題となる。即ち、隣接した画素間では電荷の書込みタイミングが常に異なって行われているため、書き込みタイミングでの電圧が、容量結合によって隣接の保持コンデンサ１４の電圧の変動を誘起してしまい、充電電荷が減少してしまうという問題がある。
【００３４】
また、微細ピッチのために、同じようにレイアウト配線した点灯回路を画素と同じピッチで並べることが困難であり、点灯回路内の配線長、例えば選択ＴＦＴ１２のゲート配線や駆動ＴＦＴ１３のドレイン配線の配線長を等しくできず、複数の回路レイアウトから成る点灯回路になる。従って、それら配線が選択信号線１６や保持信号線１７と交差する公差部の面積や数を等しくできず、各パターンに寄生する容量も全ての点灯回路で同じにはならない。
【００３５】
以上より、データドライバから同じ駆動電圧を持つ駆動信号で発光点灯させようとしても画素間の輝度ばらつきが生じてしまう。
【００３６】
そこで、本実施形態では、全ての点灯回路を同じ回路レイアウトで構成し、隣接画素間の保持コンデンサの影響を少なくしようとするものである。
【００３７】
図４は本発明の一実施形態に係る発光装置における点灯回路の構成を示す等価回路図であり、図５はその点灯回路の回路レイアウトの模式図である。
【００３８】
即ち、図４及び図５に示すように、発光素子部１８には、所定のピッチＰで発光素子１１が隣接配置される。
【００３９】
各発光素子１１のアノード電極に接続される点灯回路１９自体は、図２に示したのと同様の構成であり、選択ＴＦＴ１２及び駆動ＴＦＴ１３と、保持コンデンサ１４とからなる。但し、本実施形態では、選択ＴＦＴ１２のゲート電極が接続される選択信号線１６と駆動ＴＦＴ１３のドレイン電極が接続される保持信号線１７とを交互に配列し、それらの間に各点灯回路１９をレイアウトしている。即ち、同じ駆動信号線１５に接続され、時分割駆動される各点灯回路１９は、発光素子部１８（発光素子１１）から見て一方向へ積まれていく構成を取っている。
【００４０】
そして更に、本実施形態では、発光素子１１のアノード電極と駆動ＴＦＴ１３及び保持コンデンサ１４との接続配線であるアノード配線２０に、図４に一点鎖線で示すように延長することで配線長調整部２１を接続して、何れの点灯回路１９に関してもアノード配線２０及び配線長調整部２１の配線のパターン長が同一となるように、また、それら配線パターンが選択信号線１６及び保持信号線１７のパターンと交差する回数も同一となるような実装配置としている。配線長調整部２１は、後述する第１金属層をパターニングしてアノード配線２０とともに一括して且つ一体的に形成された配線であり、アノード配線２０と同じ膜厚である。なお、この配線パターンは、各点灯回路１９と駆動信号線１５との間のアノード・配線長調整部エリア２２を引き回すようにしている。
【００４１】
図６Ａ乃至図６Ｄは具体的な回路レイアウト例を示す図である。ここでは、図面の簡単化のため、金属層の配線パターンを示すものとし、半導体層や絶縁層等の図示は省略している。
【００４２】
発光素子部１８の発光素子１１は、トップエミッション構造の場合、図６（Ａ）に示すように、光反射性アノード電極２３上に、図示しない正孔輸送層、発光層、及び電子輸送層でなる有機ＥＬ層（発光機能層）を挟んで、透明金属によるカソード電極２４を積層し、該カソード電極２４上に、所望の画素サイズを規定するための光出射開口部２５を設けた図示しない遮光層を配して構成される。
【００４３】
駆動信号線１５、配線長調整部２１、選択ＴＦＴ１２のゲート、駆動ＴＦＴ１３のゲート、アノード配線、配線長調整部、保持コンデンサ１４の一方の電極、コンタクト部２７〜３１の下方電極は、いずれも基板上に堆積された第１金属層をフォトリソグラフィでパターニングすることによって形成されている。
【００４４】
選択信号線１６、保持信号線１７、選択ＴＦＴ１２のソース、ドレイン、駆動ＴＦＴ１３のソース、ドレイン、保持コンデンサ１４の他方の電極、コンタクト部２７〜３１の上方電極は、いずれも第２金属層をフォトリソグラフィでパターニングすることによって形成されている。
【００４５】
選択ＴＦＴ１２のゲートとチャネルとなる半導体層との間、並びに駆動ＴＦＴ１３のゲートとチャネルとなる半導体層との間には、ゲート絶縁膜が形成されている。
【００４６】
コンタクト部２７〜３１は、下方電極と上方電極とがゲート絶縁膜に設けられたコンタクトホールを介して電気的に接続されている。
【００４７】
なお、前記カソード電極２４は、第２金属層をパターン形成した結合部２６に設けたコンタクト部２７を介して、図示しない接地電位に接続されるようになっている。
【００４８】
なお、各発光素子１１のアノード電極２３から延在するアノード配線２０を区別するために、以下、参照番号２０１〜２０４を用いて説明する。
【００４９】
一方、選択信号Ｖｓｅｌ１が印加される選択信号線１６及びＶｓｏｕｒｃｅ１が印加される保持信号線１７に対応する第１行目の点灯回路１９において、各選択ＴＦＴ１２は、前記第１金属層をパターン形成したゲート電極と、前記第２金属層をパターン形成したドレイン電極及びソース電極とを有する。選択ＴＦＴ１２のゲート電極は、コンタクト部２８を介して、選択信号線１６に接続されている。また、選択ＴＦＴ１２のドレイン電極は、コンタクト部２９を介して、駆動電圧（例えばＶｄａｔａ（ｎ））が印加される駆動信号線１５に接続されている。そして、選択ＴＦＴ１２のソース電極は、駆動ＴＦＴ１３のゲート電極及び保持コンデンサ１４の一方の電極に、コンタクト部３０を介して接続されている。
【００５０】
第１行目の点灯回路１９において、各駆動ＴＦＴ１３のドレイン電極は、それぞれ保持信号Ｖｓｏｕｒｃｅ１が印加される保持信号線１７に接続されている。また、各駆動ＴＦＴ１３のソース電極は、前記第２金属層をパターン形成して、前記保持コンデンサ１４の他方の電極と一体化されて形成されている。そして、第１行目において、所定の点灯回路１９と、当該所定の点灯回路１９に隣接する点灯回路１９用の駆動電圧（例えばＶｄａｔａ（ｎ＋１））が印加される駆動信号線１５との間のアノード・配線長調整部エリア２２に、アノード配線２０の内のアノード配線２０１〜２０４が引き回され、アノード配線２０１はコンタクト部３１を介して寄生容量を等しくするための配線長調整部２１に接続されている。各配線長調整部２１を区別するために、前記アノード配線と同様に２１１〜２１４の参照符号を用いるものとすれば、これは配線長調整部２１１である。
【００５１】
第２行目の点灯回路１９においては、図６Ｂに示すように、各選択ＴＦＴ１２は、前記第１金属層をパターン形成したゲート電極と、前記第２金属層をパターン形成したドレイン電極及びソース電極とを有する。選択ＴＦＴ１２のゲート電極は、コンタクト部２８を介して、選択信号Ｖｓｅｌ２が印加される選択信号線１６に接続されている。また、選択ＴＦＴ１２のドレイン電極は、コンタクト部２９を介して、駆動電圧（例えばＶｄａｔａ（ｎ））が印加される駆動信号線１５に接続されている。そして、選択ＴＦＴ１２のソース電極は、前記第１金属層をパターン形成した、駆動ＴＦＴ１３のゲート電極及び保持コンデンサ１４の一方の電極に、コンタクト部３０を介して接続されている。
【００５２】
第２行目の点灯回路１９において、各駆動ＴＦＴ１３のドレイン電極は、それぞれ保持信号Ｖｓｏｕｒｃｅ２が印加される保持信号線１７に接続されている。また、各駆動ＴＦＴ１３のソース電極は、前記第２金属層をパターン形成して、前記保持コンデンサ１４の他方の電極と一体化されて形成されている。そして、当該第２行目において、所定の点灯回路１９と、当該所定の点灯回路１９に隣接する点灯回路１９用の駆動電圧（例えばＶｄａｔａ（ｎ＋１））が印加される駆動信号線１５との間のアノード・配線長調整部エリア２２に、配線長調整部２１１及びアノード配線２０の内のアノード配線２０２〜２０４が引き回され、アノード配線２０２は、コンタクト部３１を介して寄生容量を等しくするための配線長調整部２１２に接続されている。
【００５３】
第３行目の点灯回路１９においては、図６Ｃに示すように、各選択ＴＦＴ１２は、前記第１金属層をパターン形成したゲート電極と、前記第２金属層をパターン形成したドレイン電極及びソース電極とを有する。選択ＴＦＴ１２のゲート電極は、コンタクト部２８を介して、選択信号Ｖｓｅｌ３が印加される選択信号線１６に接続されている。また、選択ＴＦＴ１２のドレイン電極は、コンタクト部２９を介して、駆動電圧（例えばＶｄａｔａ（ｎ））が印加される駆動信号線１５に接続されている。そして、選択ＴＦＴ１２のソース電極は、前記第１金属層をパターン形成した、駆動ＴＦＴ１３のゲート電極及び保持コンデンサ１４の一方の電極に、コンタクト部３０を介して接続されている。
【００５４】
第３行目の点灯回路１９において、各駆動ＴＦＴ１３のドレイン電極は、それぞれ保持信号Ｖｓｏｕｒｃｅ３が印加される保持信号線１７に接続されている。また、各駆動ＴＦＴ１３のソース電極は、前記第２金属層をパターン形成して、前記保持コンデンサ１４の他方の電極と一体化されて形成されている。そして、当該第３行目において、所定の点灯回路１９と、当該所定の点灯回路１９に隣接する点灯回路１９用の駆動電圧（例えばＶｄａｔａ（ｎ＋１））が印加される駆動信号線１５との間のアノード・配線長調整部エリア２２に、配線長調整部２１１，２１２及びアノード配線２０３，２０４が引き回され、アノード配線２０３は、コンタクト部３１を介して寄生容量を等しくするための配線長調整部２１３に接続されている。
【００５５】
そして、最後の第４行目の点灯回路１９においては、図６Ｄに示すように、各選択ＴＦＴ１２は、前記第１金属層をパターン形成したゲート電極と、前記第２金属層をパターン形成したドレイン電極及びソース電極とを有する。選択ＴＦＴ１２のゲート電極は、コンタクト部２８を介して、選択信号Ｖｓｅｌ４が印加される選択信号線１６に接続されている。また、選択ＴＦＴ１２のドレイン電極は、コンタクト部２９を介して、駆動電圧（例えばＶｄａｔａ（ｎ））が印加される駆動信号線１５に接続されている。そして、選択ＴＦＴ１２のソース電極は、前記第１金属層をパターン形成した、駆動ＴＦＴ１３のゲート電極及び保持コンデンサ１４の一方の電極に、コンタクト部３０を介して接続されている。
【００５６】
第４行目の点灯回路１９において、各駆動ＴＦＴ１３のドレイン電極は、それぞれ保持信号Ｖｓｏｕｒｃｅ４が印加される保持信号線１７に接続されている。また、各駆動ＴＦＴ１３のソース電極は、前記第２金属層をパターン形成して、前記保持コンデンサ１４の他方の電極と一体化されて形成されている。そして、当該第４行目において、所定の点灯回路１９と、当該所定の点灯回路１９に隣接する第４行目の点灯回路１９用の駆動電圧（例えばＶｄａｔａ（ｎ＋１））が印加される駆動信号線１５との間のアノード・配線長調整部エリア２２に、配線長調整部２１１，２１２，２１３及びアノード配線２０４が引き回され、アノード配線２０４は、コンタクト部３１を介して寄生容量を等しくするための配線長調整部２１４に接続されている。
【００５７】
アノード配線２０１の長さは、対応する発光素子１１から当該発光素子１１に対応する第１行目の点灯回路１９までの距離にしたがっている。つまり発光素子１１に最も近い第１行目の点灯回路１９に接続されたアノード配線２０１の長さは、アノード配線２０１〜２０４のうちで最も短い。
【００５８】
アノード配線２０２の長さは、対応する発光素子１１から当該発光素子１１に対応する第２行目の点灯回路１９までの距離にしたがっている。つまり対応する発光素子１１から距離が、第１行目の点灯回路１９よりも遠い位置に配置された第２行目の点灯回路１９に接続されたアノード配線２０２の長さは、アノード配線２０１より長い。
【００５９】
アノード配線２０３の長さは、対応する発光素子１１から当該発光素子１１に対応する第３行目の点灯回路１９までの距離にしたがっている。つまり対応する発光素子１１から距離が、第２行目の点灯回路１９よりも遠い位置に配置された第３行目の点灯回路１９に接続されたアノード配線２０３の長さは、アノード配線２０２より長い。
【００６０】
アノード配線２０４の長さは、対応する発光素子１１から当該発光素子１１に対応する第４行目の点灯回路１９までの距離にしたがっている。つまり対応する発光素子１１から距離が、第３行目の点灯回路１９よりも遠い位置に配置された第４行目の点灯回路１９に接続されたアノード配線２０２の長さは、アノード配線２０１〜２０４のうちで最も長い。
【００６１】
そして、アノード配線２０１〜２０４及び配線長調整部２１１〜２１４は、幅及び高さが互いに等しく、アノード配線２０１及び配線長調整部２１１の配線長の和と、アノード配線２０２及び配線長調整部２１２の配線長の和と、アノード配線２０３及び配線長調整部２１３の配線長の和と、アノード配線２０４及び配線長調整部２１４の配線長の和は互いに等しく設定されている。つまり、配線長調整部２１１、２１２、２１３、２１４の順に長い。なお、主走査方向と直交する方向において配線長調整部２１１〜２１４の末端の位置が互いに異なっている。
【００６２】
さらに、アノード配線２０１及び配線長調整部２１１が他の配線と交差する交差面積と、アノード配線２０２及び配線長調整部２１２が他の配線と交差する交差面積と、アノード配線２０３及び配線長調整部２１３が他の配線と交差する交差面積と、アノード配線２０４及び配線長調整部２１４が他の配線と交差する交差面積は互いに等しく設定されている。
【００６３】
以上説明したように、本実施形態では、配線長調整部２１を配置するものであるが、配線端部を同じ位置に配置すると、アノード配線２０と配線長調整部２１の総パターン長は、プロセスルールやパターン配置面積の制約等で全てを等長（即ち、アノード配線２０１のパターン長＋配線長調整部２１１のパターン長＝アノード配線２０２のパターン長＋配線長調整部２１２のパターン長＝アノード配線２０３のパターン長＋配線長調整部２１３のパターン長＝アノード配線２０４のパターン長＋配線長調整部２１４のパターン長）とするように設計するのは煩雑になる。
【００６４】
そこで、配線長調整部２１が選択信号線１６及び保持信号線１７とも交差しない部分、例えば図５、図６Ｄの最上部で、パターン長を調整するようにしている。この配線長調整部２１のパターン調整の長さＬは、同じ駆動信号線１５に接続される点灯回路１９の中で、発光素子部１８（発光素子１１）から最も離れた交差部まで最長となるアノード配線２０と配線長調整部２１の総パターン長を基本パターン長Ｌ１として、それ以外の、発光素子部１８（発光素子１１）から最も離れた交差部までのアノード配線２０と配線長調整部２１の総パターン長をＬｍとすると、Ｌ＝Ｌ１−Ｌｍで与えられるパターン長とする。
【００６５】
以上のように、点灯回路１９のうち駆動ＴＦＴ１３及び保持コンデンサ１４と発光素子１１とを接続する配線パターン（アノード配線２０及びダミーパターン２１）を全ての発光素子１１に関して等長とし、前記配線パターンと他の信号配線（選択信号線１６及び保持信号線１７）との交差部面積及び数を同じとし、前記配線パターンを除いた回路レイアウトを全ての点灯回路１９において同じ回路レイアウトを持つようにして、同じ駆動信号線１５に接続される前記点灯回路１９はライン状に配列された発光素子１１と垂直方向に隣接配置し、前記点灯回路１９の配線が持つ寄生容量を全ての点灯回路で同じにすることで、点灯回路１９が持つ時定数及び駆動ＴＦＴ１３から見た負荷は、どの画素（発光素子１１）においても同条件となり、一応な輝度が得られるようになる。
【００６６】
以上説明したように、本実施形態によれば、全ての画素の点灯回路１９の回路レイアウトを同じにしたので、点灯回路１９内の時定数が全画素点灯回路で同条件となり、同一の印字情報に対する画素間即ち発光素子間での輝度のばらつきを抑制することができる。
【００６７】
また、印刷装置の露光装置で必要とされる画素の狭ピッチにおいても、点灯回路１９が発光素子１１の配列方向である主走査方向に配列されるとともに、主走査方向と直交する方向にも配列されるので、保持コンデンサ１４のレイアウトの自由度が高くなる。このため、主走査方向における保持コンデンサ１４のピッチ（主走査方向における保持コンデンサ１４の幅及び主走査方向に隣接する保持コンデンサ１４までの長さの和）が、主走査方向における画素ピッチＰ（主走査方向における画素の幅及び主走査方向に隣接する画素までの長さの和）よりも長くすることができ、保持コンデンサ１４の電荷蓄積容量を大きくすることができ、保持コンデンサ１４間の寄生容量による輝度変化を抑制させることができる。
【００６８】
以上、一実施形態に基づいて本発明を説明したが、本発明は上述した一実施形態に限定されるものではなく、本発明の要旨の範囲内で種々の変形や応用が可能なことは勿論である。
【００６９】
例えば、前述の一実施形態では、図面及び説明の簡略化のため、１本の駆動信号線１５で４個の画素を駆動するように構成し、更に、多数個の画素の内の１２個を代表して示したが、本発明はこれに限定されるものではない。
【００７０】
また、図６Ａ乃至図６Ｄに示した具体的な回路レイアウトも一例であり、他の回路レイアウトが採用できることは言うまでもない。
【図面の簡単な説明】
【００７１】
【図１】本一実施形態に係る発光装置を用いた印刷装置の構成の一例を示す図である。
【図２】有機ＥＬ素子を用いた発光装置における一般的な点灯回路の構成を示す等価回路図である。
【図３】点灯回路における各信号のタイミングチャートを示す図である。
【図４】本発明の一実施形態に係る発光装置における点灯回路の構成を示す等価回路図である。
【図５】図４の点灯回路の回路レイアウトの模式図である。
【図６Ａ】具体的な回路レイアウト例の第１の部分を示す図である。
【図６Ｂ】具体的な回路レイアウト例の第２の部分を示す図である。
【図６Ｃ】具体的な回路レイアウト例の第３の部分を示す図である。
【図６Ｄ】具体的な回路レイアウト例の第４の部分を示す図である。
【符号の説明】
【００７２】
１…感光体ドラム
２…発光装置
３…帯電ローラ
４…イレーサ光源感光体
５…クリーニング部材
６ａ…現像ローラ
６…現像器
７…転写ローラ
８…定着ローラ
９…搬送ベルト
１０…印刷用紙
１１…発光素子
１２…選択ＴＦＴ
１３…駆動ＴＦＴ
１４…保持コンデンサ
１５…駆動信号線
１６…選択信号線
１７…保持信号線
１８…発光素子部
１９…点灯回路
２０，２０１〜２０４…アノード配線
２１，２１１〜２１４…配線長調整部
２２…アノード・配線長調整部エリア
２３…アノード電極
２４…カソード電極
２５…光出射開口部
２６…結合部
２７…コンタクト部
２８〜３１…コンタクト部
【図１】
2009220438.tif 000003
【図２】
2009220438.tif 000004
【図３】
2009220438.tif 000005
【図４】
2009220438.tif 000006
【図５】
2009220438.tif 000007
【図６Ａ】
2009220438.tif 000008
【図６Ｂ】
2009220438.tif 000009
【図６Ｃ】
2009220438.tif 000010
【図６Ｄ】
2009220438.tif 000011